(57)【特許請求の範囲】
【請求項１】
左右一組のマイクロホンを、それぞれの収音軸が略交差するように配置してなるＸＹ方式マイクロホンユニットであって、
左マイクロホン部と、右マイクロホン部からなり、
左マイクロホン部は、少なくとも
相対的に高域の音を収音する左マイクロホン部の高域マイクロホン部と、
相対的に低域の音を収音する左マイクロホン部の低域マイクロホン部と、
を備え、
右マイクロホン部は、少なくとも
相対的に高域の音を収音する右マイクロホン部の高域マイクロホン部と、
相対的に低域の音を収音する右マイクロホン部の低域マイクロホン部と、
を備え、
左マイクロホン部の高域マイクロホン部は、左マイクロホン部の低域マイクロホン部の一部に固定され、右マイクロホン部の高域マイクロホン部は、右マイクロホン部の低域マイクロホン部の一部に固定され、
左マイクロホン部の高域マイクロホン部、左マイクロホン部の低域マイクロホン部、右マイクロホン部の高域マイクロホン部、右マイクロホン部の低域マイクロホン部のそれぞれの振動板は、平面視において略同一直線上に配置される
ことを特徴とするＸＹ方式マイクロホンユニット。
【請求項２】
請求項１に記載のＸＹ方式マイクロホンユニットにおいて、
左マイクロホン部の高域マイクロホン部及び右マイクロホン部の高域マイクロホン部は、左マイクロホン部の低域マイクロホン部及び右マイクロホン部の低域マイクロホン部に対して、平面視において外側に配置される
ことを特徴とするＸＹ方式マイクロホンユニット。
【請求項３】
請求項１に記載のＸＹ方式マイクロホンユニットにおいて、
左マイクロホン部の高域マイクロホン部及び右マイクロホン部の高域マイクロホン部は、左マイクロホン部の低域マイクロホン部及び右マイクロホン部の低域マイクロホン部に対して、平面視において内側に配置される
ことを特徴とするＸＹ方式マイクロホンユニット。
【請求項４】
請求項１に記載のＸＹ方式マイクロホンユニットにおいて、
左マイクロホン部の高域マイクロホン部及び右マイクロホン部の高域マイクロホン部は、左マイクロホン部の低域マイクロホン部及び右マイクロホン部の低域マイクロホン部に対して、平面視において外側あるいは内側となるように切替可能に配置される
ことを特徴とするＸＹ方式マイクロホンユニット。
【請求項５】
請求項１〜４のいずれかに記載のＸＹ方式マイクロホンユニットにおいて、
左マイクロホン部の高域マイクロホン部及び右マイクロホン部の高域マイクロホン部は、４０ｋＨｚ以上の音を収音し、左マイクロホン部の低域マイクロホン部及び右マイクロホン部の低域マイクロホン部は、４０ｋＨｚ未満の音を収音する
ことを特徴とするＸＹ方式マイクロホンユニット。
【請求項６】
請求項１〜５のいずれかに記載のＸＹ方式マイクロホンユニットを備える録音装置。
【発明の詳細な説明】
【技術分野】
【０００１】
本発明は、ＸＹ方式マイクロホンユニット及び録音装置に関する。  
【背景技術】
【０００２】
従来から、ＸＹ方式マイクロホンユニットが知られている。
【０００３】
特許文献１には、ＸＹ方式のステレオ収録用マイクロホンユニットが記載されており、右マイクロホン部と左マイクロホン部が上下方向に重なるように配置することで、左右の中間部の音が抜ける中抜け現象が発生しないようにすることが記載されている。  
【０００４】
特許文献２には、一対のマイクロホンをレール上に移動可能に取り付けることにより、ＸＹ方式とＡＢ方式にマイクロホンを配置可能にする構成が記載されている。  
【先行技術文献】
【特許文献】
【０００５】
【特許文献１】特許第４７５３９７８号
【特許文献２】特開２００７−０４３５１０号公報
【発明の概要】
【発明が解決しようとする課題】
【０００６】
しかしながら、近年においては、いわゆるハイレゾリューション・オーディオ（以下、単に「ハイレゾ」という）装置が提案されており、ハイレゾ音源を録音するハイレゾマイクロホンユニットも提案されているところ、かかるハイレゾマイクロホンユニットを録音装置にどのように取り付けるかが問題となる。
【０００７】
本発明の目的は、ハイレゾ音源等を効果的に録音し得るＸＹ方式マイクロホンユニット及び録音装置を提供することにある。  
【課題を解決するための手段】
【０００８】
本発明は、左右一組のマイクロホンを、それぞれの収音軸が略交差するように配置してなるＸＹ方式マイクロホンユニットであって、左マイクロホン部と、右マイクロホン部からなり、左マイクロホン部は、少なくとも相対的に高域の音を収音する左マイクロホン部の高域マイクロホン部と、相対的に低域の音を収音する左マイクロホン部の低域マイクロホン部とを備え、右マイクロホン部は、少なくとも相対的に高域の音を収音する右マイクロホン部の高域マイクロホン部と、相対的に低域の音を収音する右マイクロホン部の低域マイクロホン部とを備え、左マイクロホン部の高域マイクロホン部は、左マイクロホン部の低域マイクロホン部の一部に固定され、右マイクロホン部の高域マイクロホン部は、右マイクロホン部の低域マイクロホン部の一部に固定され、左マイクロホン部の高域マイクロホン部、左マイクロホン部の低域マイクロホン部、右マイクロホン部の高域マイクロホン部、右マイクロホン部の低域マイクロホン部のそれぞれの振動板は、平面視において略同一直線上に配置されることを特徴とするＸＹ方式マイクロホンユニットである。
【０００９】
本発明の１つの実施形態では、左マイクロホン部の高域マイクロホン部及び右マイクロホン部の高域マイクロホン部は、左マイクロホン部の低域マイクロホン部及び右マイクロホン部の低域マイクロホン部に対して、平面視において外側に配置される。
【００１０】
本発明の他の実施形態では、左マイクロホン部の高域マイクロホン部及び右マイクロホン部の高域マイクロホン部は、左マイクロホン部の低域マイクロホン部及び右マイクロホン部の低域マイクロホン部に対して、平面視において内側に配置される。
【００１１】
本発明のさらに他の実施形態では、左マイクロホン部の高域マイクロホン部及び右マイクロホン部の高域マイクロホン部は、左マイクロホン部の低域マイクロホン部及び右マイクロホン部の低域マイクロホン部に対して、平面視において外側あるいは内側となるように切替可能に配置される。
【００１２】
本発明のさらに他の実施形態では、左マイクロホン部の高域マイクロホン部及び右マイクロホン部の高域マイクロホン部は、４０ｋＨｚ以上の音を収音し、左マイクロホン部の低域マイクロホン部及び右マイクロホン部の低域マイクロホン部は、４０ｋＨｚ未満の音を収音する。
【００１３】
また、本発明は、上記のＸＹ方式マイクロホンユニットを備える録音装置である。
【発明の効果】
【００１４】
本発明によれば、ハイレゾ音源等を効果的に録音することができる。特に、本発明によれば、ハイレゾ音源等に関しても左右の中間部の音が抜ける中抜け現象を効果的に防止できる。
【図面の簡単な説明】
【００１５】
【図１Ａ】実施形態におけるポータブル録音装置の斜視図（その１）である。
【図１Ｂ】実施形態におけるポータブル録音装置の斜視図（その２）である。
【図２】実施形態におけるポータブル録音装置の平面図である。
【図３】実施形態におけるマイクロホン部の拡大斜視図である。
【図４】他の実施形態におけるマイクロホンユニットの配置説明図である。
【発明を実施するための形態】
【００１６】
以下、図面に基づき本発明の実施形態について説明する。
【００１７】
図１Ａ及び図１Ｂは、本実施形態におけるＸＹ方式マイクロホンユニットが搭載されたハイレゾ・ポータブル録音装置１０の斜視図を示す。図１Ａは正面側から見た斜視図であり、図１Ｂは背面側から見た斜視図である。
【００１８】
なお、以下での説明において、各用語は以下の意味で使用するものとする。
【００１９】
「ＸＹ方式マイクロホン」
左右一組のマイクロホンを、それぞれの収音軸が交差するように逆Ｖ字型に配置したマイクロホンのことをいう。ここで、収音軸は、音を感知する振動板の表面から垂直に延びる仮想的軸線である。
【００２０】
「ハイレゾ」
録音及び再生機器並びに伝送系において以下の性能が保証されていることをいう。
【００２１】
＜アナログ系＞
（１）録音マイクの高域周波数性能：４０ｋＨｚ以上が可能であること
（２）アンプ高域再生性能：４０ｋＨｚ以上が可能であること
（３）スピーカー・ヘッドホン高域再生性能：４０ｋＨｚ以上が可能であること
【００２２】
＜デジタル系＞
（１）録音フォーマット：ＦＬＡＣあるいはＷＡＶファイル９６ｋＨｚ／２４ビット以上が可能であること
（２）入出力Ｉ／Ｆ：９６ｋＨｚ／２４ビット以上が可能であること
（３）ファイル再生：ＦＬＡＣあるいはＷＡＶファイル９６ｋＨｚ／２４ビットに対応可能であること
（４）信号処理：９６ｋＨｚ／２４ビット以上の信号処理性能が可能であること
（５）デジタル／アナログ変換：９６ｋＨｚ／２４ビット以上が可能であること
【００２３】
図１Ａ及び図１Ｂに示すハイレゾ・ポータブル録音装置１０は、本体の上端にＸＹ方式のマイクロホンユニット１１が取り付けられている。
【００２４】
ハイレゾ・ポータブル録音装置１０は、その外観形状は略直方体であり、正面には録音レベル等のステータスを表示する液晶パネルや各種操作スイッチ、ボタンが設けられる。各種操作スイッチには、録音の開始／停止、再生、一時停止等のスイッチが含まれる。ハイレゾ・ポータブル録音装置１０は、公知のアナログ信号処理回路及びデジタル信号処理回路を備え、マイクロホンユニット１１から入力したオーディオ信号をデジタルデータとして内蔵の記憶媒体、あるいはＳＤカードスロットに装着されたＳＤメモリ等に記録して録音する。
【００２５】
ＸＹ方式のマイクロホンユニット１１は、左マイクロホン部１２と、右マイクロホン部１４から構成されており、左マイクロホン部１２と右マイクロホン部１４は、それぞれの収音軸が略直交するように配置される。左マイクロホン部１２は、前方右側から生じる音を収音し、右マイクロホン部１４は、前方左側から生じる音を収音する。
【００２６】
また、左マイクロホン部１２と右マイクロホン部１４は、左マイクロホン部１２が右マイクロホン部１４の上に重なるように上下に配置されており、これにより左右の中間部の音が抜ける中抜け現象を防止している。
【００２７】
さらに、本実施形態において、左マイクロホン部１２及び右マイクロホン部１４は、それぞれ、主に４０ｋＨｚ未満の音を収音するマイクロホン部と、主に４０ｋＨｚ以上の音を収音するマイクロホン部から構成される。
【００２８】
図２は、本実施形態におけるハイレゾ・ポータブル録音装置１０の平面図を示す。左マイクロホン部１２は、主に４０ｋＨｚ未満の音を収音するマイクロホン部１２ａと、主に４０ｋＨｚ以上の音を収音するマイクロホン部１２ｂから構成される。マイクロホン部１２ｂは、略円筒形状のマイクロホン部１２ａの側面の一部に固定される。マイクロホン部１２ａの収音軸とマイクロホン部１２ｂの収音軸は互いに平行となるように固定される。
また、右マイクロホン部１４は、主に４０ｋＨｚ未満の音を収音するマイクロホン部１４ａと、主に４０ｋＨｚ以上の音を収音するマイクロホン部１４ｂから構成される。マイクロホン部１４ｂは、略円筒形状のマイクロホン部１４ａの側面の一部に固定される。マイクロホン部１４ａの収音軸とマイクロホン部１４ｂの収音軸は互いに平行となるように固定される。
【００２９】
左マイクロホン部１２と右マイクロホン部１４は、上記のように左マイクロホン部１２が右マイクロホン部１４の上に重なるように上下に配置されているが（図２は平面図であるため、図２では左マイクロホン部１２が右マイクロホン部１４に対して下に位置している）、このとき、左マイクロホン部１２のマイクロホン部１２ａの振動板中心と、右マイクロホン部１４のマイクロホン部１４ａの振動板中心とが、ハイレゾ・ポータブル録音装置１０の左右中心軸１００上に位置するのみならず、左マイクロホン部１２のマイクロホン部１２ｂの振動板中心と、右マイクロホン部１４のマイクロホン部１４ｂの振動板中心とが、ハイレゾ・ポータブル録音装置１０の左右中心軸１００上に位置するように配置する。すなわち、一般に、マイクロホン部は、外観が略円筒状のマイクロホン本体と、その上端に形成された振動板を有しているが、左マイクロホン部１２のマイクロホン部１２ａの振動板中心をＧ１２ａ、マイクロホン部１２ｂの振動板中心をＧ１２ｂ、右マイクロホン部１４のマイクロホン部１４ａの振動板中心をＧ１４ａ、右マイクロホン部１４のマイクロホン部１４ｂの振動板中心をＧ１４ｂとすると、図２において上下方向にＧ１４ｂ、Ｇ１４ａ、Ｇ１２ａ、Ｇ１２ｂの順に配列するとともに、Ｇ１４ｂ、Ｇ１４ａ、Ｇ１２ａ、Ｇ１２ｂが全て中心軸１００上に配置される。
【００３０】
これにより、主に４０ｋＨｚ未満の音に関して左右の中間部の音が抜ける中抜け現象を防止し得るとともに、主に４０ｋＨｚ以上の音に関しても同様に左右の中間部の音が抜ける中抜け現象を防止し得る。あるいは、主に４０ｋＨｚ未満の音と主に４０ｋＨｚ以上の音の位相ずれを防止し得る。
【００３１】
図３は、左マイクロホン部１２の拡大外観斜視図を示す。右マイクロホン部１４についても同様の形状である。
【００３２】
左マイクロホン部１２は、外観が略円筒形状のマイクロホン部１２ａと、その側面の一部に、マイクロホン部１２ａの高さ方向に沿って外観が蒲鉾型のマイクロホン部１２ｂが固定されて一体構成される。マイクロホン部１２ａは、指向性のマイクロホンであり、マイクロホン部１２ｂは、無指向性のマイクロホンである。マイクロホン部１２ａの収音面１２ａ１は略円形であり、マイクロホン部１２ｂの収音面１２ｂ１は略半円形である。マイクロホン部１２ａ及びマイクロホン部１２ｂの収音面１２ａ１，１２ｂ１は、マイクロホン部１２ａの高さ方向を基準として略同一の高さにある。マイクロホン部１２ａ及びマイクロホン部１２ｂは、例えばコンデンサマイク（エレエクトレットコンデンサマイク）で構成され、振動板（可動極あるいはダイヤフラム）、固定極（バックプレート）、及びインシュレータを備える。振動板は、それぞれ収音面１２ａ１、１２ｂ１に近接して配置され、マイクロホン部１２ａの高さ方向を基準として略同一の高さに配置される。
【００３３】
なお、本実施形態では、図１Ａ、図１Ｂ及び図２に示すように、マイクロホン部１２ｂ、１４ｂが外側となりマイクロホン部１２ａ，１４ａが内側となるように配置しているが、これとは逆に、マイクロホン部１２ｂ、１４ｂが内側となりマイクロホン部１２ａ，１４ａが外側となるように配置してもよい。
【００３４】
図４は、この場合のマイクロホンユニットの配置を平面図で示す。左マイクロホン部１２は、マイクロホン部１２ａ及びマイクロホン部１２ｂから構成され、同様に右マイクロホン部１４はマイクロホン部１４ａ及びマイクロホン部１４ｂから構成される。マイクロホン部１２ｂ、１４ｂは、図２と異なりマイクロホン部１２ａ，１４ａに対して内側となるように固定される。図４の配置は、図２の配置に対してより４０ｋＨｚ以上の音の中抜け防止を主眼とした配置といえる。
【００３５】
また、本実施形態において、左マイクロホン部１２及び右マイクロホン部１４をともに回転可能に軸支し、ユーザの好みに応じて、図２の配置と図４の配置を切替可能な構成としてもよい。具体的には、左マイクロホン部１２及び右マイクロホン部１４は、それぞれ、ポータブル録音装置１０に取り付けられた固定台の内周面に設けられた軸受けに回転自在に軸支され、略円筒形状の左マイクロホン部１２及び右マイクロホン部１４のそれぞれの中心軸の回りに回転可能とする。
【００３６】
また、本実施形態では、左マイクロホン部１２及び右マイクロホン部１４を、それぞれ、主に４０ｋＨｚ未満の音を収音するマイクロホン部と、主に４０ｋＨｚ以上の音を収音するマイクロホン部から構成しているが、必ずしもこれに限定されるものではなく、左マイクロホン部１２及び右マイクロホン部１４を、それぞれ、相対的に低域の音を収音するマイクロホン部と、相対的に高域の音を収音するマイクロホン部から構成してもよい。つまり、高域マイクロホン部と低域マイクロホン部の収音範囲の閾値周波数は、組み合わせるマイクロホンの特性に応じて変化し得るものであり、高域マイクロホン部が４０ｋＨｚ以下を含む場合もあれば、低域マイクロホン部が４０ｋＨｚ以上を含む場合があり得ることを意味する。この場合、ポータブル録音装置の左マイクロホン部１２及び右マイクロホン部１４は、それぞれ、相対的に低域の音を収音するマイクロホン部と、相対的に高域の音を収音するマイクロホン部から構成され、左マイクロホン部１２の高域マイクロホン部の振動板、左マイクロホン部の低域マイクロホン部の振動板、右マイクロホン部１４の高域マイクロホン部の振動板、右マイクロホン部１４の低域マイクロホン部の振動板は、平面視において同一直線上に配置されることになる。図１Ａ〜図４において、マイクロホン部１２ａ，１４ａは低域マイクロホンに相当し、マイクロホン部１２ｂ，１４ｂは高域マイクロホン部に相当する。より特定的には、図１Ａ〜図４において、左マイクロホン部１２は、低域指向性マイクロホン部１２ａと高域無指向性マイクロホン部１２ｂから構成され、右マイクロホン部１４は、低域マイクロホン部１４ａと高域無指向性マイクロホン部１４ｂから構成される。
【００３７】
なお、本実施形態において、「中心軸１００上に配置される」、「同一直線上に配置される」とは、必ずしも厳密に配置されることを要求するものではなく、一定の誤差あるいは公差を許容し得る趣旨である。要するに、平面視において合計４つのマイクロホン部のそれぞれの振動板（より特定的にはそれぞれの振動板の中心）が略同一直線上に配置されていればよい。
【００３８】
また、本実施形態において、マイクロホンユニット１１を、各マイクロホン部１２ａ、１２ｂ、１４ａ、１４ｂの振動板が配置される同一直線を軸として回転可能なようにポータブル録音機本体に取り付け、マイクロホンユニット１１の交差角度を調整できるようにしてもよい。
【００３９】
また、左マイクロホン部１２と右マイクロホン部１４が、それぞれ３つ以上のマイクロホン部（例えば、低域マイクロホン部、中域マイクロホン部、高域マイクロホン部）を備えているような場合であっても、同じように適用することが可能である。この場合、低域マイクロホン部、中域マイクロホン部、高域マイクロホン部を、全て同一直線上に配置することが望ましいが、少なくとも低域マイクロホン部と高域マイクロホン部が同一直線上に配置されていれば、中域マイクロホン部の収音範囲を補うことができるため、ハイレゾ音源における中抜け現象を抑制することができる。
【符号の説明】
【００４０】
１０  ポータブル録音装置、１１  マイクロホンユニット、１２  左マイクロホン部、１２ａ  左マイクロホン部の低域マイクロホン部、１２ｂ  左マイクロホン部の高域マイクロホン部、１４  右マイクロホン部、１４ａ  右マイクロホン部の低域マイクロホン部、１４ｂ  右マイクロホン部の高域マイクロホン部。
【図１Ａ】
0006680050.tif 000002
【図１Ｂ】
0006680050.tif 000003
【図２】
0006680050.tif 000004
【図３】
0006680050.tif 000005
【図４】
0006680050.tif 000006